(57)【要約】【課題】壁材の加工の必要がなく、壁材を鎧張り状構造等に固定する際の施工を容易にできる支持部材を提供する。【解決手段】支持部材１に関する。固着具１２を挿入するための切欠４を有し、壁材１１に仮固定される固定部２と、固定部２に設けられ、固定部２が仮固定される壁材１１に重ねて設置される他の壁材１１を支持する支持部３と、を有する。【選択図】図１
2015042805.tif 000002
【特許請求の範囲】
【請求項１】
固着具を挿入するための切欠を有し、壁材に仮固定される固定部と、
前記固定部に設けられ、前記固定部が仮固定される壁材に重ねて設置される他の壁材を支持する支持部と、を有することを特徴とする支持部材。
【請求項２】
前記支持部の位置を調整する調整部を有することを特徴とする請求項１に記載の支持部材。
【請求項３】
請求項１又は２に記載の支持部材を用いた壁材の施工方法であって、
前記支持部材の固定部を壁材に配置し、この固定部の切欠に固着具を打入すると共に、この固着具を前記壁材側に打入して、前記壁材を壁下地に固定する第一工程と、
前記壁材に重ねて他の壁材を、前記固定部に重なるように設置すると共に、前記他の壁材を、前記支持部材の支持部で支持する第二工程と、
前記他の壁材を第一工程と同様に壁下地に固定する第三工程と、
前記支持部材を、前記壁材と前記他の壁材とから離脱させる第四工程と、
を有することを特徴とする壁材施工方法。
【発明の詳細な説明】
【技術分野】
【０００１】
本発明は、鎧張り状等に壁材を施工する際に用いられる支持部材及びこの支持部材を用いて壁材を施工する壁材施工方法に関するものである。
【背景技術】
【０００２】
壁材を鎧張り状に壁下地に施工する方法として、壁材の上端部に他の壁材の下端部を重ね合わせ、両方の壁材の重ね合わせた部分に釘等の金具を打ち込み、壁下地に固定する方法がある。しかし、この方法では、金具が壁材の外側に露呈し、外観が悪くなるという問題がある。また、壁材を鎧張り状に施工する際に、壁材同士を重ね合わせる位置を一定にする必要があり、その方法として、重ねる位置を示す印をあらかじめ壁材に付け、その印に合わせて壁材を重ねながら施工する方法がある。しかし、この方法では、印を確認しながら壁材同士を重ね合わせる必要があるため、作業に時間がかかる。さらに、ほぼ垂直な壁下地に施工する場合、金具を打ち入れる際に、壁材を手や腕で押さえながら施工する必要があり、作業が困難であった。
【０００３】
そこで、鎧張り状に壁材を施工する方法として、裏面に斜め溝を形成した壁材を用い、この斜め溝に係合する係合片を有する固定具で、壁材同士を固定する方法が開示されている（特許文献１及び特許文献２参照）。特許文献１では、固定具として、第１の壁材の上端部に当接する前面片及び上面片と、第２の壁材の斜め溝に係合する係合片と、第２の壁材の下端部に当接する支持片と、前面片に設けられた釘孔と、からなるものが開示されている。また、特許文献２では、固定具として、釘孔がなく、第１の壁材の上端部に当接する前面片及び上面片と、第２の壁材の斜め溝に係合する係合片と、第２の壁材の下端部に当接する支持片と、からなるものが開示されている。
【先行技術文献】
【特許文献】
【０００４】
【特許文献１】特開２００３−０５６１５４号公報
【特許文献２】特開２００３−２９３５４９号公報
【発明の概要】
【発明が解決しようとする課題】
【０００５】
しかし、これらの固定具を用いた施工方法では、あらかじめ壁材に斜め溝を設ける必要があり、壁材を加工する必要がある。また、斜め溝を形成するため、壁材には斜め溝の深さ以上の厚みが必要となり、壁材を軽量化することは困難である。また、施工の際に、壁材の裏面に形成されている斜め溝に固定具の係合片を合わせる必要があり、施工に手間がかかる。また、特許文献２のように釘等の金具で壁材を壁下地に固定していない鎧張り状構造では、強風などにより鎧張り構造にズレや飛散が生じるおそれがある。
【０００６】
本発明は上記の点に鑑みてなされたものであり、壁材の加工の必要がなく、壁材を鎧張り状構造等に固定する際の施工を容易にできる支持部材を提供することを目的とするものである。
【課題を解決するための手段】
【０００７】
本発明に係る支持部材は、固着具を挿入するための切欠を有し、壁材に仮固定される固定部と、
前記固定部に設けられ、前記固定部が仮固定される壁材に重ねて設置される他の壁材を支持する支持部と、を有することを特徴とするものである。
【０００８】
本発明に係る支持部材は、前記支持部の位置を調整する調整部を有することが好ましい。
【０００９】
本発明に係る壁材の施工方法は、上記の支持部材を用いた壁材の施工方法であって、
前記支持部材の固定部を壁材に配置し、この固定部の切欠に固着具を打入すると共に、この固着具を前記壁材側に打入して、前記壁材を壁下地に固定する第一工程と、
前記壁材に重ねて他の壁材を、前記固定部に重なるように設置すると共に、前記他の壁材を、前記支持部材の支持部で支持する第二工程と、
前記他の壁材を第一工程と同様に壁下地に固定する第三工程と、
前記支持部材を、前記壁材と前記他の壁材とから離脱させる第四工程と、
を有することを特徴とするものである。
【発明の効果】
【００１０】
本発明によれば、壁材の加工の必要がなく、壁材を鎧張り状構造等に固定する際の施工を容易にできる。
【図面の簡単な説明】
【００１１】
【図１】本発明に係る支持部材の複数の例を示すものであり、（ａ）〜（ｄ）は正面図である。
【図２】本発明に係る支持部材のその他の例を示す正面図である。
【図３】本発明に係る支持部材のさらにその他の例を示すものであり、（ａ）及び（ｂ）は正面図である。
【図４】本発明に係る支持部材のさらにその他の例を示すものであり、（ａ）及び（ｂ）は側面図である。
【図５】本発明に係る支持部材のさらにその他の例を示すものであり、（ａ）は正面図、（ｂ）は側面図である。
【図６】本発明に係る支持部材のさらにその他の例を示すものであり、（ａ）は正面図、（ｂ）は側面図である。
【図７】本発明に係る壁材施工方法の一例を示すものであり、（ａ）〜（ｄ）は断面図である。
【図８】本発明に係る壁材施工方法の一例を示すものであり、（ａ）〜（ｄ）は正面概略図である。
【発明を実施するための形態】
【００１２】
以下、本発明の実施の形態を説明する。
【００１３】
図１に、支持部材１の一例を示す。支持部材１は、固定部２と支持部３とからなる。固定部２は、矩形状の平板とすることができる。固定部２の大きさは、上下方向に５〜１０ｃｍ、左右方向に１〜５ｃｍが好ましい。また、固定部２は、釘やビス等の固着具１２を挿入するための切欠４を有する。支持部３は、固定部２の端縁から略垂直に延出して形成される。固定部２と支持部３とのなす角度は概ね９０°が好ましい。以下、特に断らない限り、支持部材１において、固定部２の支持部３が設けられた側を下側、固定部２の支持部３とは反対側を上側とする。さらに、支持部３側から見た固定部２の左側を支持部材１の左側、支持部３側から見た固定部２の右側を支持部材１の右側とする。
【００１４】
図１のように、切欠４は、固定部２の上端部が開口し、固定部２の上下方向に設けられている。この場合、切欠４は、固定部２の上下方向に長い形状であることが好ましい。または、図２のように、切欠４は、固定部２の左又は右端部が開口し、固定部２の左右方向に設けられている。この場合、切欠４は、固定部２の左右方向に長い形状であることが好ましい。切欠４は、切欠４の幅が、固着具１２の頭部１２ａの径よりは小さく、かつ固着具１２の軸部１２ｂの径よりは大きい部分を有することが好ましい。切欠４が、幅がこの範囲である部分を有すると、切欠４のその部分に固着具１２を挿入し、固着具１２の頭部１２ａで固定部２を壁材１１に仮固定することができる（図８参照）。切欠４の形状は、図１（ａ）及び（ｄ）のようにＵ字型であっても、図１（ｂ）のようにＶ字型であってもよく、その他の形状であってもよい。また、図１（ｃ）のように、切欠４は、切欠４の側部の途中に突出部４ａを有することが好ましく、この場合、突出部４ａ、４ａ間の距離が、固着具１２の軸部１２ｂの径より小さいか、ほぼ同じ幅であることが好ましい。この場合、切欠４の突出部４ａ、４ａより下の部分に固着具１２を挿入して、壁材１１に支持部材１を仮固定すると、突出部４ａ、４ａが固着具１２の軸部１２ｂに引っかかることで、仮固定した支持部材１が壁材１１から滑り落ちにくくなる。
【００１５】
図１（ｄ）のように、切欠４の側部の固定部２の表面には、固定部２の上下方向に沿って目盛１６が設けられていることが好ましい。この目盛１６により、壁材１１の重なり幅を正確に調整することができ、施工精度をより向上させることができる。目盛以外にも、印等であってもよい。
【００１６】
また、固定部２において、切欠４は１つであってもよく、複数の切欠４が設けられていてもよく、例えば、２つ、３つ、４つ以上であってもよい。切欠４の開口部が、固定部２の左又は右端部に設けられている場合、図３（ａ）のように、切欠４は固定部２の上下方向に複数個設けられていてもよい。この場合、固着具１２を挿入する切欠４を複数の切欠４から選択することにより、固着部１２から支持部３までの距離を変えることができ、壁材１１の重なり幅を変えることができる。一方、切欠４の開口部が、固定部２の上端部に設けられている場合、図３（ｂ）のように、切欠４が、固定部２の左右方向に複数個設けられていてもよい。左右方向に十分な大きさの固定部２を有すると共に、固定部２に左右方向に複数の切欠４を有し、複数個の切欠４に固着具１２を挿入することにより、支持部材１を壁材１１により強固に仮固定することができる。さらに、支持部３も左右方向に長くなるので、この支持部３で壁材１１をより安定して支持することができる。そして、一枚の壁材１１に対し、一つの支持部材１を用いて鎧張り状構造を施工することが可能になり、より容易に施工することができる。また、この場合、切欠４が設けられる間隔は、図８のように固着具１２を打入するために壁材１１に設けられた固着孔１４の間隔に合わせることが好ましい。これにより、固着具１２の位置決めがしやすくなり、固着具１２の打入がしやすくなり、さらに容易に施工することができる。
【００１７】
支持部材１を用いて、壁下地１０に略垂直に鎧張り状に壁材１１を施工する場合、支持部３が壁材１１の支えになり、施工の際の壁材１１の落下を防止できる。さらに、固着具１２から支持部３までの距離が一定であるため、壁材１１同士の重なり幅を決定しやすく、施工が容易になる。
【００１８】
支持部３の固定部２の下端縁からの長さは、壁材１１の厚みよりも長いことが好ましい。この場合、壁材１１の厚み方向において、支持部３が壁材１１から突出している部分があるため、支持部材１を取り外す際に、その部分をハンマー１５等で叩打することにより、壁材１１を傷つけることなく、支持部材１を容易に取り外すことが可能になる。壁材１１の厚み方向において、支持部３が壁材１１から突出している部分の長さは、１ｃｍ以上であることが好ましい。支持部３が壁材１１から突出している部分の長さがこの範囲であれば、ハンマー１５等で叩打しやすく、支持部材１をより容易に取り外すことができる。
【００１９】
支持部材１は、図４（ｂ）のように、支持部３の固定部２とは反対の端縁から固定部２と同じ側に略直角な係合部５を有していてもよい。つまり、支持部材１の側面から見た形状は、図４（ａ）のようにＬ字状であっても、図４（ｂ）のようにＪ字状であってもよい。支持部材１が係合部５を有することにより、壁材１１をより支持しやすくなり、壁材１１が滑り落ちるのをより防止しやすくなる。また、図５のように、支持部材１には、固定部２と支持部３にまたがるように、リブ１３を設けることが好ましい。リブ１３を設けることにより、壁材１１の重量により支持部３が壁材１１を支持できずに固定部２と支持部３とのなす角度が開くことを防止しやすくなり、支持部材１の寿命を延ばすことができる。なお、リブ１３の形状は、図５のように、固定部２と支持部３にまたがって細長い形状でもよく、その他の形状であってもよい。
【００２０】
支持部材１は、プラスチック板、金属板等を用い、打ち抜き加工や曲げ加工により形成することができる。また、支持部材１に用いる板の厚みは１．５ｍｍ以下が好ましい。板の厚みが１．５ｍｍ以下であれば、加工しやすく、容易に支持部材１を作製することができる。また、壁材１１の鎧張り状構造から支持部材１を離脱する際に、離脱前と離脱後で壁材１１同士の隙間の距離が変化しにくいため、固着具１２が緩みにくくなる。支持部３及び係合部５は、例えば、固定部２をプレス加工等により屈曲させることで形成することができる。
【００２１】
図６のように、支持部材１は、固定部２と、支持部３と、支持部３の位置を調整する調整部６を有している形態であってもよい。調整部６は、突出片７と、突出片７に形成された長穴８と、ナット９ａと、ボルト９ｂとからなる。突出片７は、固定部２の左又は右の側部の下側端部において、固定部２から略垂直に延出して形成されている。突出片７には、上下方向に細長い長穴８が形成されている。ナット９ａとボルト９ｂは、長穴８を介して螺合させて締着され、ナット９ａを緩めるとボルト９ｂは長穴８内で上下に移動可能となる。支持部３は、Ｌ字状であり、第１片３ａと第２片３ｂとからなる。第１片３ａは、ボルト９ｂの挿入孔を有し、第２片３ｂは、壁材１１を支持する。支持部３は、１枚の金属板等を、曲げ加工等により加工することにより形成でき、第１片３ａと第２片３ｂとでＬ字状の形状になっている。支持部３の第１片３ａは、ナット９ａ及びボルト９ｂにより突出片７に固定される。ナット９ａを緩めてボルト９ｂを、長穴８内で移動させ、所定の位置で締着する。このボルト９ｂの位置を変化させることで、略水平の第２片３ｂの位置を調整することができる。なお、調整部６は、この形状に限らない。
【００２２】
鎧張り状構造に用いる壁材１１の形状は特に限定されないが、例えば矩形状であってもよく、図８のように矩形状の４隅のうち上辺の２隅が欠けた形状であってもよい。
【００２３】
壁材１１には、図８のように、固着具１２を打入するための固着孔１４があらかじめ設けられていることが好ましい。あらかじめ固着孔１４が設けられていることにより、固着具１２の位置決めがしやすく、固着具１２の打入がしやすくなり、容易に施工することができる。固着孔１４は一枚の壁材１１に複数個設けられていてよく、壁材１１を壁下地１０に安定的に固定できるのであれば、固着孔１４の数はいくつであってもよい。固着孔１４の数は少なくてもよく、多くてもよい。固着孔１４の数が少なければ、工程が少なくなり施工が容易になる。固着孔１４の数が多ければ、壁材１１が壁下地１０に強固に固定することが可能になる。
【００２４】
壁材１１の施工方法は、下記の第一工程〜第四工程を有する。
【００２５】
第一工程：支持部材１の支持部３が下側に位置するようにすると共に、固定部２を壁材１１ａに当接させて、支持部材１を壁材１１ａの所定の位置に配置する。壁材１１ａに固着孔１４が設けられている場合は、固定部２の切欠４が壁材１１ａの固着孔１４に重なるように配置することが好ましい。壁材１１ａに複数の固着孔１４が設けられている場合は、少なくとも一つの固着孔１４に支持部材１を配置すればよく、他の壁材１１ｂを支持できる位置の固着孔１４に支持部材１を配置すればよい。例えば、壁材１１ａの両端の固着孔１４に支持部材１を配置してもよく、壁材１１ａの中央の固着孔１４に支持部材１を配置してもよい。次に、支持部材１を配置する固着孔１４に、固着具１２を挿通する。そして、図７（ａ）及び図８（ａ）のように、固着具１２をハンマーなどで叩打するなどして壁材１１ａ側に打入し、壁材１１ａを壁下地１０に固定すると共に、支持部材１を壁材１１ａに仮固定する。固着具１２で壁材１１を壁下地１０に固定することにより、強風による壁材１１の飛散やズレをより抑えることができる。なお、図８（ａ）のように、壁材１１に複数の固着孔１４が設けられている場合、支持部材１を配置しない固着孔１４にも、固着具１２を打入することが好ましい。支持部材１を配置しない固着孔１４にも、固着具１２を打入することにより、より強固に壁材１１を壁下地１０に固定することができる。支持部材１を配置する固着孔１４のみに固着具１２を打入してもよい。
【００２６】
第二工程：図７（ｂ）及び図８（ｂ）のように、壁材１１ａに重ねて他の壁材１１ｂを、支持部材１の固定部２に重なるように設置する。そして、他の壁材１１ｂを、支持部材１の支持部３で支持する。これにより、鎧張り状構造において、固着具１２が外側に露呈せず、外観を損なうおそれがない。また、支持部材１の支持部３が壁材１１ｂを支持するため、壁材１１ｂを手や腕で押さえながら施工する必要がなく、作業が容易である。
【００２７】
第三工程：図７（ｃ）及び図８（ｃ）のように、他の壁材１１ｂを第一工程と同様に、固着具１２で壁下地１０に固定する。固着具１２で壁材１１を壁下地１０に固定することにより、強風による壁材１１の飛散やズレをより抑えることができる。
【００２８】
このように、第一工程〜第三工程を必要に応じて繰り返すことにより、壁下地１０に鎧張り状に壁材１１を施工することができる。
【００２９】
第四工程：図７（ｄ）及び図８（ｄ）のように、支持部材１を、壁材１１ａ、１１ｂの間から離脱させる。壁材１１から支持部材１を離脱させる方法として、支持部材１の支持部３をハンマー１５で叩打する方法などが挙げられる。図１のように固定部２の上端部が開口した切欠４が設けられている支持部材１の場合、支持部材１を下にスライドさせて、壁材１１から離脱させる。また、図２のように固定部２の左又は右端部が開口した切欠４が設けられている支持部材１の場合、支持部材１を横にスライドさせて、壁材１１から離脱させる。第四工程は、第三工程が終了するたびに行ってもよく、いくつかの第三工程を経た後、いくつかまとめて行ってもよく、全ての壁材１１の施工が終わった後、行ってもよい。なお、離脱した支持部材１を再利用して壁材１１の施工をしてもよい。支持部材１を離脱させることにより、鎧張り状構造において外観を損なうおそれがなく、意匠性が向上する。また、支持部材１を再利用することが可能であり、コストを削減することができる。
【００３０】
壁材１１の鎧張り構造において、壁材１１が一重である部分がないほうが好ましい。つまり、壁下地１０の表面に壁材１１が複数枚重なっていることが好ましい。壁材１１が一重となっている部分がなく、壁材１１が重なっていれば、より優れた防水性を得ることができる。また、外からの熱を伝えにくく、内部の熱も放出しにくくなるため、より優れた断熱性も得ることができる。さらに、より優れた遮音性も得ることができる。
【００３１】
壁材１１と壁下地１０の間には、断熱性、遮水性、防火性等を有する層が設けられていてもよい。
【符号の説明】
【００３２】
１  支持部材
２  固定部
３  支持部
４  切欠
６  調整部
１０  壁下地
１１  壁材
１２  固着具
【図１】
2015042805.tif 000003
【図２】
2015042805.tif 000004
【図３】
2015042805.tif 000005
【図４】
2015042805.tif 000006
【図５】
2015042805.tif 000007
【図６】
2015042805.tif 000008
【図７】
2015042805.tif 000009
【図８】
2015042805.tif 000010